【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
インクジェットヘッドでインク滴が吐出される記録紙を搬送路に沿って搬送する紙送り動作を行う前に紙送りモーターの放熱が必要か否かを判定し、
前記紙送りモーターの放熱が必要な場合には、前記紙送りモーターの動作を予め設定した放熱待ち時間停止させる冷却動作を行い、
前記インクジェットヘッドからインク滴を吐出させるフラッシングを行うタイミングに達したか否かを判定し、
前記フラッシングを行うタイミングに達していると判定した場合には、前記冷却動作の間に前記フラッシングを開始することを特徴とするインクジェットプリンターの駆動制御方法。
【請求項２】
前記冷却動作の間に前記フラッシングを行うタイミングに達したか否かを監視し、
前記フラッシングを行うタイミングに達したと判定した場合には、前記フラッシングを開始する請求項１に記載のインクジェットプリンターの駆動制御方法。
【請求項３】
前記インクジェットヘッドでインク滴を吐出する印刷動作の前に前記インクジェットヘッドを駆動するキャリッジモーターの放熱が必要か否かを判定し、
前記キャリッジモーターの放熱が必要な場合には、前記キャリッジモーターを冷却する第２放熱待ち時間と前記フラッシングを行うタイミングに達するまでの残り時間とを比較し、
前記残り時間が前記第２放熱待ち時間よりも短い場合には、前記インクジェットヘッドのインクノズル面をキャップで覆うキャッピングを行った後に、前記キャリッジモーターを前記第２放熱待ち時間停止させる第２冷却動作を行い、前記第２冷却動作の終了した後に前記キャッピングを解除し、
前記残り時間が前記第２放熱待ち時間以上の場合には、前記キャッピングを行うことなく前記第２冷却動作を行う請求項１または２に記載のインクジェットプリンターの駆動制御方法。
【請求項４】
前記紙送りモーターの消費電流量を積算消費電流量として積算し、所定期間における前記積算消費電流量が予め定めた閾値に達した場合に前記紙送りモーターの放熱が必要であると判定する請求項１ないし３のいずれか１項に記載のインクジェットプリンターの駆動制御方法。
【請求項５】
記録紙にインク滴を吐出するインクジェットヘッドと、
前記インクジェットヘッドを移動させるキャリッジモーターと、
搬送路に沿って前記記録紙を搬送する紙送りモーターと、
前記インクジェットヘッドで前記記録紙にインク滴を吐出させる印刷動作と、前記紙送りモーターを駆動させて前記記録紙を搬送する紙送り動作とを制御する印刷制御部と、
前記インクジェットヘッドのインクノズル面に対峙可能なキャップと、
前記インクジェットヘッドから前記キャップに向かってインクを吐出させるフラッシングを行うタイミングまでの残り時間を計数する計数部と、
前記紙送り動作を開始する前に前記紙送りモーターの放熱が必要か否かを判定する判定部と、
前記紙送りモーターの放熱が必要と判定されたときに、前記紙送りモーターの動作を予め設定した放熱待ち時間停止させる放熱制御部と、
前記紙送りモーターの放熱が必要と判定されたときに、前記残り時間がゼロであるか否かを判定するフラッシング判定部と、
前記紙送りモーターの放熱が必要と判定されたときに前記残り時間がゼロである場合には、前記冷却動作の間に前記フラッシングを実行させるフラッシング制御部と、
を有することを特徴とするインクジェットプリンター。
【請求項６】
前記フラッシング制御部は、前記冷却動作の間に前記フラッシングを行うタイミングに達した場合には、前記フラッシングを行う請求項５に記載のインクジェットプリンター。
【請求項７】
前記インクジェットヘッドの前記インクノズル面を覆うキャッピング位置と前記インクノズル面と隙間を開けて対峙する離間位置との間で前記キャップを移動させるキャップ移動機構と、
前記印刷動作を開始する前に前記キャリッジモーターの放熱が必要か否かを判定する第２判定部と、
前記キャリッジモーターの放熱が必要と判定された場合に、前記キャリッジモーターを冷却する第２放熱待ち時間と前記残り時間とを比較する比較部と、
前記キャップにより前記インクジェットヘッドの前記インクノズル面を覆うキャッピングと、前記キャップを前記離間位置に移動させて前記キャッピングを解除する解除動作とを制御するキャッピング制御部と、
前記キャリッジモーターの動作を予め設定した第２放熱待ち時間停止させる第２冷却動作を行う第２放熱制御部と、を有し、
前記残り時間が前記第２放熱待ち時間よりも短い場合に、前記キャッピングを行い、前記第２放熱待ち時間が経過すると前記解除動作を行い、
前記残り時間が前記第２放熱待ち時間以上の場合に、前記キャッピングを行うことなく前記第２冷却動作を行う請求項５または６に記載のインクジェットプリンター。
【請求項８】
前記判定部は、前記紙送りモーターの消費電流量を積算消費電流量として積算し、所定期間における前記積算消費電流量が予め定めた閾値に達した場合に前記紙送りモーターの放熱が必要であると判定する請求項５ないし７のいずれか１項に記載のインクジェットプリンター。
【手続補正２】
【補正対象書類名】明細書
【補正対象項目名】０００６
【補正方法】変更
【補正の内容】
【０００６】
上記の課題を解決するために、本発明は、インクジェットヘッドでインク滴が吐出される記録紙を搬送路に沿って搬送する紙送り動作を行う前に前記紙送りモーターの放熱が必要か否かを判定し、  前記紙送りモーターの放熱が必要な場合には、前記紙送りモーターの動作を予め設定した放熱待ち時間停止させる冷却動作を行い、前記インクジェットヘッドからインク滴を吐出させるフラッシングを行うタイミングに達したか否かを判定し、前記フラッシングを行うタイミングに達している場合には、前記第１冷却動作の間に前記フラッシングを開始することを特徴とする。  
【手続補正３】
【補正対象書類名】明細書
【補正対象項目名】０００９
【補正方法】変更
【補正の内容】
【０００９】
本発明において、前記インクジェットヘッドでインク滴を吐出する印刷動作の前に前記インクジェットヘッドを駆動するキャリッジモーターの放熱が必要か否かを判定し、前記キャリッジモーターの放熱が必要な場合には、前記キャリッジモーターを冷却する第２放熱待ち時間と前記フラッシングを行うタイミングに達するまでの残り時間とを比較し、前記残り時間が前記第２放熱待ち時間よりも短い場合には、前記インクジェットヘッドのインクノズル面をキャップで覆うキャッピングを行った後に、前記キャリッジモーターを前記第２放熱待ち時間停止させる第２冷却動作を行い、前記第２冷却動作の終了した後に前記キャッピングを解除し、前記残り時間が前記第２放熱待ち時間以上の場合には、前記キャッピングを行うことなく前記第２冷却動作を行うことが望ましい。このようにすれば、フラッシングを行うタイミングに達するまでの残り時間がキャリッジモーターを冷却するのに必要な第２放熱待ち時間よりも短い場合に、インクジェットヘッドをキャッピングすることによりインクの増粘の進行を停止或いは抑制させながらキャリッジモーターを冷却する第２冷却動作を行うことができる。従って、第２冷却動作の間にインクが増粘してインクジェットヘッドに目詰まりを発生させることを防止できる。
【手続補正４】
【補正対象書類名】明細書
【補正対象項目名】００１１
【補正方法】変更
【補正の内容】
【００１１】
次に、本発明のインクジェットプリンターは、記録紙にインク滴を吐出するインクジェットヘッドと、前記インクジェットヘッドを移動させるキャリッジモーターと、搬送路に沿って前記記録紙を搬送する紙送りモーターと、前記インクジェットヘッドで前記記録紙にインク滴を吐出させる印刷動作と、前記紙送りモーターを駆動させて前記記録紙を搬送する紙送り動作とを制御する印刷制御部と、前記インクジェットヘッドのインクノズル面に対峙可能なキャップと、前記インクジェットヘッドから前記キャップに向かってインクを吐出させるフラッシングを行うタイミングまでの残り時間を計数する計数部と、  前記紙送り動作を開始する前に前記紙送りモーターの放熱が必要か否かを判定する判定部と、前記紙送りモーターの放熱が必要と判定されたときに、前記紙送りモーターの動作を予め設定した放熱待ち時間停止させる放熱制御部と、前記紙送りモーターの放熱が必要と判定されたときに、前記残り時間がゼロであるか否かを判定するフラッシング判定部と、前記紙送りモーターの放熱が必要と判定されたときに前記残り時間がゼロである場合には、前記冷却動作の間に前記フラッシングを実行させるフラッシング制御部と、を有することを特徴とする。  
【手続補正５】
【補正対象書類名】明細書
【補正対象項目名】００１４
【補正方法】変更
【補正の内容】
【００１４】
本発明において、前記インクジェットヘッドの前記インクノズル面を覆うキャッピング位置と前記インクノズル面と隙間を開けて対峙する離間位置との間で前記キャップを移動させるキャップ移動機構と、前記印刷動作を開始する前に前記キャリッジモーターの放熱が必要か否かを判定する第２判定部と、前記キャリッジモーターの放熱が必要と判定された場合に、前記キャリッジモーターを冷却する第２放熱待ち時間と前記残り時間とを比較する比較部と、前記キャップにより前記インクジェットヘッドの前記インクノズル面を覆うキャッピングと、前記キャップを前記離間位置に移動させて前記キャッピングを解除する解除動作とを制御するキャッピング制御部と、前記キャリッジモーターの動作を予め設定した第２放熱待ち時間停止させる第２冷却動作を行う第２放熱制御部と、を有し、前記キャッピング制御部は、前記残り時間が前記第２放熱待ち時間よりも短い場合に、前記キャッピングを行い、前記第２放熱待ち時間が経過すると前記解除動作を行い、前記第２放熱制御部は、前記残り時間が前記第２放熱待ち時間以上の場合に、前記キャッピングを行うことなく前記第２冷却動作を行うことが望ましい。このようにすれば、フラッシングを行うタイミングに達するまでの残り時間がキャリッジモーターを冷却するのに必要な第２放熱待ち時間よりも短い場合に、インクジェットヘッドをキャッピングすることによりインクの増粘の進行を停止或いは抑制しながらキャリッジモーターを冷却する第２冷却動作を行うことができる。従って、第２冷却動作の間にインクが増粘してインクジェットヘッドに目詰まりを発生させることを防止できる。